(57)【要約】【課題】起毛または植毛された繊維が基布がなす面と一定の向きに傾斜している一片の布地において、布地とこれに接触する物体の間に発生する相対移動を解消または低減する。【解決手段】布地を複数の領域に分割し、各領域における繊維の傾斜の向きが互いに打ち消し合うように当該複数の領域を対として組み合わせて一片の布地として構成する。【選択図】  図２
2004183185.tif 000002
【特許請求の範囲】
【請求項１】
織布または不織布たる一片の布地（１）であって、当該布地（１）は、その基布（２）の表面から外部に向けて林立する繊維群である立毛（３）を有する立毛領域を備え、少なくとも２個以上の当該立毛領域は、基布（２）の形成する面と略一定の向きの傾斜を有する立毛（３）を有する有傾斜立毛領域（５）であり、個々の有傾斜立毛領域（５）は他の有傾斜立毛領域（５）と対をなして構成されており、かつ、任意の対に属する任意の有傾斜立毛領域（５）は対の相手である有傾斜立毛領域（５）が備える立毛（３）の傾斜の向きとは反対の向きに傾斜する立毛（３）を備える有傾斜立毛領域（５）であるところの布地（１）。
【請求項２】
布地（１）は、少なくともその使用時には有傾斜立毛領域（５）たる複数の布片を接続して一片として構成される布地（１）であるところの請求項１の布地（１）。
【発明の詳細な説明】
【０００１】
【発明の属する技術分野】
毛布、絨毯などの、基布から外側に向けて林立する繊維群である立毛をもつ布地において、その立毛が布地のなす面と一定の向きに傾きをもつ場合、布が他の物体と接触する際にはこの傾きに由来する摩擦力の向きの差により布と接触する物体の間に相対移動が発生する。本発明は、この相対移動を低減する技術に関する。
【０００２】
【従来の技術】
毛布、絨毯などの布地はその基布部分から外側に突出する多数の立毛をもつ。この立毛繊維群は、製造の方法、保存時、使用過程での圧迫などにより布地のなす面に対して垂直ではない一様な向きの傾斜をもつことが多い。例えば、立毛が傾角をもつ絨毯の上にフロアマットを置き、この上に人間が乗ると、その都度フロアマットは立毛がトレーリングアームとして作用する向き、いわゆる順目の向きに微小距離移動し、これを繰り返すとフロアマットはもとの位置から大きく移動してしまう不都合が生じる。自動車用のカーペットなどでは床面からピンを突出させ、フロアマットにこのピンを通す孔を設けてこの移動を防止している例がある。
【０００２】
毛布と毛布カバーの場合には、毛布が毛布カバーの内部で一方に移動して団塊化する不都合が経験される。
【０００３】
図１は立毛が一様な向きに傾斜をもつ従来の布地例のモデルの側面図である。図１によりカーペットとフロアマット、毛布と毛布カバーなどが相対的に移動する理由を説明する。図１において、布地（１）はたとえばカーペットである。ここで、布地（１）は、その基本構造をなす基布（２）と、基布（２）がなす面から側方に突出するように起毛または植毛された繊維である立毛（３）から構成されている。図１中では、多くの繊維の集合である立毛（３）は立毛ａ（３ａ）と立毛ｂ（３ｂ）の２本で代表されて示されている。この立毛ａ（３ａ）、立毛ｂ（３ｂ）の上にたとえばフロアマットである接触物体（４）が置かれている。この接触物体（４）と立毛ａ（３ａ）の接触点の上方位置の部位に下向きの力Ｆが作用した場合の接触物体（４）の形状および位置を一点鎖線で示す。力Ｆが作用すると、立毛ａ（３ａ）の先端と接触物体（４）の間に作用する摩擦力は、立毛ａ（３ａ）の傾斜が増すのに伴って、この摩擦力の反力として立毛ｂ（３ｂ）の先端と接触物体（４）の接触点Ｂに発生する反対向きの摩擦力に抗しつつ、接触物体（４）を左方に移動させるよう作用する。点Ａにおける立毛ａ（３ａ）の先端と接触物体（４）の接触点に作用する下向きの力は、点Ｂにおける立毛ｂ（３ｂ）の先端と接触物体（４）の接触点に作用する下向きの力よりも力Ｆの分だけ大きい。かつ、立毛ａ（３ａ）は力Ｆにより押されて傾斜を増す際に接触物体（４）に対していわゆる逆目であるリーディングアームとして機能するが、立毛ｂ（３ｂ）はいわゆる順目であるトレーリングアームとして機能するので、点Ａのおける摩擦係数は一般に点Ｂのそれより大きい。よって、点Ａにおける摩擦力の方が点Ｂにおいて点Ａに発生する摩擦力よりも大きく、点Ａとは点Ｃに、点Ｂは点Ｄに各々移動する。下向きの力Ｆを取除くと立毛ａ（３ａ）の傾斜は元の傾斜角に復帰する。この際、点Ｃにおいて接触物体（４）は立毛ａ（３ａ）の先端から図１の右方に移動させる向きの摩擦力を受け、点Ｄにおいて点Ｃにおける摩擦力の反力である反対向きの摩擦力とは反対向きの摩擦力を立毛ｂ（３ｂ）の先端から受ける。点Ｃと点Ｄに作用する下向きの力は、力Ｆがもはや作用していないので相等しい。この時、立毛ａ（３ａ）は接触物体（４）に対してトレーリングアームとして作用し、立毛ｂ（３ｂ）はリーディングアームとして機能する。前者の摩擦係数は一般に後者より小さいので、右向きの摩擦力は左向きの摩擦力にうち勝つことができない。よって、立毛ａ（３ａ）が元の傾斜角に復しても接触物体（４）は元の位置に戻らず鎖線の位置に留まる。すなわち、接触物体（４）は布地（１）の上を左方に移動する。次に、点Ｂに下向きの力を加えると、この場合も全く同じ理由により接触物体（４）は左方に移動する。すなわち、接触物体（４）のいずれの部位に下向きの力が作用しても接触物体（４）は左方に移動する。ここでいう摩擦係数とは、物性に由来する摩擦係数と接触するもの双方の表面の形状の組合わせに由来する物理的な摩擦係数の両者を併せた概念である。
【０００４】
【発明が解決しようとする課題】
本発明は、毛布や絨毯などの布地が傾斜した立毛をもつ場合に布地とこれに接触する物体の間に発生する不都合な相対移動を解消または低減することを課題とする。
【０００５】
【課題を解決するための手段】
本発明は、前記の不都合な相対移動を、一片の布地のなかの立毛が傾斜をもつを領域（以下、有傾斜立毛領域という。）を複数の領域に分割し、これらの分割された個々の有傾斜立毛領域を各々の立毛の傾斜の影響が相互に打消しあうように対をなすように組合わせて配列する手段により解決する。立毛の傾斜角が一定であれば、原則的には傾斜の向きが反対な等しい面積の領域を対として組合わせる。傾斜角、材質、領域内に作用する力の大きさと頻度などの条件が異なる領域を組合わせる場合は、これらを勘案して双方の向きの摩擦力の影響が打消しあうように双方の領域の面積の比を決定する。
【０００６】
図２および図３により本発明の構成と作用を説明する。図２は、本発明になる布地（１）の例の側面図である。図３は、布地（１）を図２中のＵ方向から見た上面図である。両図中の太い実線で記された中抜きの矢印は、立毛（３）の先端が傾いている向きを示しており、本明細書中の他の図においても同様である。
【０００７】
まず構成につき説明する。図２および図３において、布地（１）の基布（２）とこれに接着により植毛された繊維っである立毛（３）を備えている。布地（１）の全領域は、立毛（３ａ）の先端が図２中の右方に移動して傾斜している有傾斜立毛領域ａ（５ａ）と、立毛（３ｂ）の先端が左方に移動して傾斜している有傾斜立毛領域ｂ（５ｂ）の２個の領域により構成されている。有傾斜立毛領域ａ（５ａ）と有傾斜立毛領域ｂ（５ｂ）は対をなしており、両者の面積は相等しく、有傾斜立毛領域ａ（５ａ）の立毛ａ（３ａ）と有傾斜立毛領域ｂ（５ｂ）の立毛ｂ（３ｂ）はその材質、傾角の絶対値、本数は略等しく、かつ、立毛ａ（３ａ）と立毛ｂ（３ｂ）の傾斜の向きは互いに反対の向きを向いている。両領域は裁断された独立した布片であったが布地（１）の中央部位置において接合されており、一片の布地（１）を構成している。有傾斜立毛領域（５）は、有傾斜立毛領域ａ（５ａ）、有傾斜立毛領域ｂ（５ｂ）などの総称であり、立毛（３）は立毛ａ（３ａ）、立毛ｂ（３ｂ）などの総称である。
【０００８】
次に作用につき説明する。図２において、布地（１）の上に鎖線で示す接触物体（４）を置き、これの多数の点をランダムに選定してこれらのランダムに分布する各点に順次下向きの力を加えと仮定する。この場合、接触物体（４）は布地（１）の上を殆ど移動しない。移動が発生しない理由は、２個が考えられる。第１に、ある点に下向きの力が加わった場合、当該力点を含まない側の有傾斜立毛領域の立毛群は移動に対して全てリーディングアームとして機能するので、下向きの力が加わった際の移動量が小さくなるというミクロ的理由である。第２に、ある点に下向きの力を加えた際にミクロ的に接触物体（４）が移動しても、有傾斜立毛領域ａ（５ａ）と有傾斜立毛領域ｂ（５ｂ）の双方にほぼ等しい回数だけ力を加えれば、全体としては個々のミクロ的な移動が互いに打消し合うというマクロ的理由である。カーペットとフロアマットの例では後者の貢献が大きく、毛布と毛布カバーの例では前者の貢献が大きいことがモデル計算で示唆されているが、いずれの場合にも両方の原因がともに寄与する。
【０００９】
布地（１）が、例えば毛布のような比較的柔軟可撓性をもつ布地である場合で、２個のみの有傾斜立毛領域を対として組合わせる場合には、図２および図３の例のように有傾斜立毛領域ａ（５ａ）と有傾斜立毛領域ｂ（５ｂ）で作用する２種の摩擦力が互いに布地（１）を引き延す向きに作用する様に有傾斜立毛領域ａ（５ａ）と有傾斜立毛領域ｂ（５ｂ）を配置するのが好ましいことがある。２種の摩擦力が布地（１）を圧縮する様に配置すると、両摩擦力は互いに打消し合うが可撓性により布地（１）が団塊化する場合があり得るからである。
【００１０】
複数の立毛の傾斜が異なる領域を形成するには、２個の方法がある。基布が織布である場合には紡織工程で、基布が不織布またはゴム板などで立毛を接着する場合にはその植毛過程で傾斜の向きを変えることが可能である。また、複数の布片を適宜組み合せの上接続して一片の布として構成することも可能である。接続の方法は、縫製、接着、ボタン、ジッパー、着脱自在テープなどによることができる。
【００１１】
【発明の実施の形態】
本発明の実施の形態につき、図４に示した別の実施例で説明する。図４は、本発明になる布地（１）の上面図である。
【００１２】
本例において、一片の布地（１）は毛布であって、当該布地（１）は、有傾斜立毛領域ｐ（５ｐ）、有傾斜立毛領域ｑ（５ｑ）、有傾斜立毛領域ｒ（５ｒ）と有傾斜立毛領域ｓ（５ｓ）、有傾斜立毛領域ｔ（５ｔ）の５個の布片が縫製により接続されて構成されている。有傾斜立毛領域ｐ（５ｐ）、有傾斜立毛領域ｑ（５ｑ）、有傾斜立毛領域ｒ（５ｒ）は１個の群を形成しており、有傾斜立毛領域ｓ（５ｓ）、有傾斜立毛領域ｔ（５ｔ）は別の１個の群を形成している。２個の群は対を形成しており、双方の群の合計面積は合等しく、かつ、双方の群の立毛の傾斜の向きは図中の中抜き矢印が示すように互いに反対の向きである。この実施例の作用は前記の図２および図３の例と全く同様であり、この作用により布地（１）をカバーに収容して使用しても、布地（１）はカバーの内部で一方に移動しない。
【００１３】
【発明の効果】
以上の構成と作用から、本発明になる布地では、これに接触する物体の間に発生する不都合な相対移動を解消または低減する効果を実現している。具体的には、絨毯の上に置かれたマットがこれを踏むたびに移動する不都合や、カバーに覆われた毛布がカバーの内部で団塊化する不都合を解消する効果が得られる。とりわけ、この効果は洗濯ができないが故にカバーを掛けて使用するのが前提となるいわゆる電気掛け毛布や電気敷き毛布において特に有効に発揮される。
【図面の簡単な説明】
【図１】従来の布地例のモデルの側面図
【図２】本発明になる布地の側面図
【図３】本発明になる布地の上面図
【図４】本発明の別の実施例たる布地の上面図
【符号の説明】
１  布地
２  基布
３  立毛
５  有傾斜立毛領域
【図１】
2004183185.tif 000003
【図２】
2004183185.tif 000004
【図３】
2004183185.tif 000005
【図４】
2004183185.tif 000006